(57)【要約】【課題】基板上に設けられた電気的保護部品を保護することができる電子機器を提供する。【解決手段】電子機器（１）を、電気回路が形成された基板（５０）と、前記基板上に設けられ、前記電気回路を電気的に保護する保護部品（Ｆ１、Ｆ２）と、前記基板における前記保護部品が設けられた面部に対向して配置された対向部材（６０）と、前記対向部材に形成され、前記保護部品を収容する収容部（９０）とを備える構成とした。【選択図】図１
2009103809.tif 000002
【特許請求の範囲】
【請求項１】
電気回路が形成された基板と、
前記基板上に設けられ、前記電気回路を電気的に保護する保護部品と、
前記基板における前記保護部品が設けられた面部に対向して配置された対向部材と、
前記対向部材に形成され、前記保護部品を収容する収容部と
を備える電子機器。
【請求項２】
請求項１に記載の電子機器において、
前記保護部品は、複数個が前記基板上に設けられ、
前記収容部は、前記複数個の保護部品のそれぞれに対応して複数が設けられること
を特徴とする電子機器。
【請求項３】
請求項１又は請求項２に記載の電子機器において、
前記対向部材は、実質的な絶縁体によって形成されること
を特徴とする電子機器。
【請求項４】
請求項１から請求項３までのいずれか１項に記載された電子機器において、
前記収容部は、前記対向部材における前記保護部品に対向する面部の一部に設けられた凹部を含むこと
を特徴とする電子機器。
【請求項５】
請求項４に記載の電子機器において、
前記対向部材は、前記基板とは反対側の領域に複数の円筒型電池を並列配置した状態で保持可能な電池保持部材であり、かつ、前記円筒型電池を保持した状態で隣接する円筒型電池の間に突き出して形成された突出部を備え、
前記凹部は、前記突出部に形成されること
を特徴とする電子機器。
【請求項６】
請求項１から請求項５までのいずれか１項に記載の電子機器において、
前記収容部は、前記対向部材の前記基板に対向する面部から前記基板に向けて突き出して設けられ、前記保護部品を包囲する包囲部を含むこと
を特徴とする電子機器。
【請求項７】
請求項６に記載の電子機器において、
前記保護部品は、前記基板に設けられたランドを介して前記基板に実装され、
前記包囲部は、前記ランドを囲んで設けられること
を特徴とする電子機器。
【発明の詳細な説明】
【技術分野】
【０００１】
本発明は、電子機器に関するものである。
【背景技術】
【０００２】
カメラ等の電子機器としては、筐体内への異物の侵入を防止することによって、異物が電気回路等に接触することを防止するものが知られている（例えば、特許文献１参照）。
【特許文献１】特開２００２−２９８８１１号公報
【発明の開示】
【発明が解決しようとする課題】
【０００３】
ここで、電子機器は、筐体内に固定された部材（例えば、ビス、半田等）が脱落し、この部材が電気回路に接触する可能性があるが、上述の特許文献１に記載の電子機器は、これを防止できない。
ただし、電子機器には、電気回路を電気的に保護するための保護部品（例えば、ヒューズ等）が備えられているので、この保護部品の機能が損なわれなければ、仮に異物や脱落部材が電気回路に接触した場合であってもフェイルセーフ機能が確保される。したがって、この電気的保護部品を異物や脱落部材から保護することが、特に重要となる。
本発明の課題は、基板上に設けられた電気的保護部品を保護することができる電子機器を提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、電気回路が形成された基板（５０）と、前記基板上に設けられ、前記電気回路を電気的に保護する保護部品（Ｆ１、Ｆ２）と、前記基板における前記保護部品が設けられた面部に対向して配置された対向部材（６０）と、前記対向部材に形成され、前記保護部品を収容する収容部（９０）とを備える電子機器（１）である。
【０００５】
請求項２の発明は、請求項１に記載の電子機器において、前記保護部品（Ｆ１、Ｆ２）は、複数個が前記基板（５０）上に設けられ、前記収容部（９０）は、前記複数個の保護部品のそれぞれに対応して複数が設けられることを特徴とする電子機器（１）である。
請求項３の発明は、請求項１又は請求項２に記載の電子機器において、前記対向部材（６０）は、実質的な絶縁体によって形成されることを特徴とする電子機器（１）である。
請求項４の発明は、請求項１から請求項３までのいずれか１項に記載された電子機器において、前記収容部（９０）は、前記対向部材（６０）における前記保護部品（Ｆ１、Ｆ２）に対向する面部の一部に設けられた凹部（９１、９３）を含むことを特徴とする電子機器（１）である。
請求項５の発明は、請求項４に記載の電子機器において、前記対向部材は、前記基板（５０）とは反対側の領域に複数の円筒型電池（Ｂ）を並列配置した状態で保持可能な電池保持部材（６０）であり、かつ、前記円筒型電池を保持した状態で隣接する円筒型電池の間に突き出して形成された突出部（６１ｂ）を備え、前記凹部（９１、９３）は、前記突出部に形成されることを特徴とする電子機器（１）である。
請求項６の発明は、請求項１から請求項５までのいずれか１項に記載の電子機器において、前記収容部（９０）は、前記対向部材（６０）の前記基板（５０）に対向する面部から前記基板に向けて突き出して設けられ、前記保護部品（Ｆ１、Ｆ２）を包囲する包囲部（９２、９４）を含むことを特徴とする電子機器（１）である。
請求項６の発明は、請求項５に記載の電子機器において、前記保護部品（Ｆ１、Ｆ２）は、前記基板（５０）に設けられたランド（Ｌ）を介して前記基板に実装され、前記包囲部（９２、９４）は、前記ランドを囲んで設けられることを特徴とする電子機器（１）である。
なお、符号を付して説明した構成は、適宜改良してもよく、また、少なくとも一部を他の構成物に代替してもよい。
【発明の効果】
【０００６】
本発明によれば、基板上に設けられた電気的保護部品を保護することができる電子機器を提供することができる。
【発明を実施するための最良の形態】
【０００７】
以下、本発明を適用した電子機器の実施形態であるカメラについて説明する。
図１は、実施形態のカメラの内部構造を示す図である。
図２は、図１に示すカメラのＡ２−Ａ２矢視断面図である。
また、図１は、図２のＡ１−Ａ１矢視断面図である。
【０００８】
カメラ１は、例えば、合成樹脂材料やアルミニウム等の金属材料によって箱形に形成された筐体１０を備えており、この筐体１０の内部には、ＣＣＤ（Charge Coupled Device）イメージセンサ２０（以下、ＣＣＤ２０と称して説明する）、レンズ鏡筒３０、液晶モニタ４０、硬質基板５０、電池室６０、カードスロット７０等が配置されている。また、筐体１０の外観面には、レリーズスイッチ８１（図２参照）やズームスイッチ８２を含む操作部８０（操作部８０は、図示を省略する）が設けられている。
【０００９】
ＣＣＤ２０は、被写体光を電気信号に変換して出力する固体撮像素子である。ＣＣＤ２０の撮像面は、正面視で長方形になっている。以下、ＣＣＤ２０の撮像面を垂直にし、かつ、その長手方向を水平方向に平行にした状態のカメラ１の姿勢を通常位置と称して説明する。
本明細書において、カメラ１の左右方向、上下方向といった場合には、それぞれカメラ１を通常位置とした場合の水平方向、垂直方向を意味するものとする。図１及び図２は、ともに通常位置のカメラ１を示しており、図１及び図２に示すＸ軸、Ｙ軸は、それぞれ水平方向（カメラ１の左右方向）、垂直方向（カメラ１の上下方向）に延在している。
【００１０】
レンズ鏡筒３０は、撮影レンズ３１と、この撮影レンズ３１を収容する複数の筒体を備えており、カメラ１を正面（被写体側）からみた場合に、筐体１０の内部において、カメラ１の左右方向の一方側（本実施形態では右側）の領域に設けられている。レンズ鏡筒３０は、非撮影時等には筐体１０の内部に収容され、撮影時には筒体の一部が筐体１０の正面部から突き出す、いわゆる沈胴式のレンズ鏡筒である。図１及び図２に示すＺ軸は、撮影レンズ３１の光軸と平行な方向に延在している。
【００１１】
液晶モニタ４０は、撮影済み画像、メニュー画面、スルー画像等の各種画像を表示する表示装置である。液晶モニタ４０の表示画面は、筐体１０の背面部に露出して設けられている。
【００１２】
硬質基板５０は、ボード状に形成され、レンズ鏡筒３０と液晶モニタ４０との間に配置されている。
硬質基板５０の表面部、裏面部は、それぞれ光軸（Ｚ軸）に直交する面（Ｘ−Ｙ平面）に略平行になっている。以下、硬質基板５０のうち、液晶モニタ４０に対向する側の面部を表面部と称するとともに、反対側の面部を裏面部と称して説明する。
硬質基板５０の表面部には、集積回路や半導体素子等の各種電気部品５１がマウントされ、電気回路が形成されている。また、硬質基板５０と液晶モニタ４０との間には、硬質基板５０の表面部に形成された電気回路を物理的に保護するための板金５２が設けられている。
【００１３】
電池室６０は、カメラ１に備えられた各電気要素に対して電源として機能する電池Ｂを保持する電池保持部材であり、レンズ鏡筒３０に隣接して（本実施形態では、カメラ１の左側の領域に）配置されている。電池室６０は、例えば、単三型乾電池等の円筒状（円柱状）電池をカメラ１の左右方向（カメラ１の幅方向）に２本、並列配置して収容することができるようになっている。
ここで、本明細書において、円筒状電池を並列配置するとは、円筒状電池の外周面同士を対向させて配置することを意味し、複数の電池を電気的に並列接続することを意味するものではない（電気的には、直列接続でも並列接続でもよい）。
この電池室６０を形成する材料は、特に限定されないが、例えば、合成樹脂材料等の実質的な絶縁体で形成することが望ましい。
【００１４】
上述のように、電池室６０は、例えば、２本の電池Ｂを並列配置した状態で収容するので、電池室６０の内部には、２つの円筒状の空間部が形成されている。また、電池室６０は、収容した電池Ｂの移動を制限するために、２本の電池Ｂに間に突き出して形成された突出部６１を備えている。
突出部６１は、カメラ１の前面部側、背面部側のそれぞれに設けられている（それぞれ突出部６１ａ、突出部６１ｂと称して説明する）。
【００１５】
カードスロット７０は、画像データ等を記憶するメモリカードＣが着脱可能に装着される部分である。
カードスロット７０は、図２に示すように、硬質基板５０と電池室６０との間であって、後述するヒューズＦ１、Ｆ２の下方に形成されている。カメラ１は、図示しないドライブ装置を備えており、このカードスロット７０に装着されたメモリカードＣに対して、画像データ等の書き込みを行う。
【００１６】
操作部８０は、筐体１０の天面（上面）に設けられたレリーズスイッチ８１、筐体１０背面に設けられたズームスイッチ８２、及び、図示しない電源スイッチ等の各種スイッチ等を含んでいる。
レリーズスイッチ８１は、撮影者がカメラ１に対して撮影動作を開始させる際等に操作するものである。
ズームスイッチ８２は、液晶モニタ４０に隣接して設けられており、レンズ鏡筒３０に備えられたズームレンズを広角側から望遠側に移動させるズームアップスイッチ８２ｕと、ズームレンズを望遠側から広角側に移動させるズームダウンスイッチ８２ｄとを備えている。また、カメラ１は、液晶モニタ４０に撮影済み画像を再生表示した状態でズームスイッチ８２が操作されると、再生画面が拡大、縮小する。
【００１７】
ここで、カメラ１に備えられた各電気要素（液晶モニタ４０、操作部８０に含まれる各種スイッチ、撮影レンズ３１を駆動するモータ、カメラ１の作動状態を示すＬＥＤ等）は、異なる電圧で作動するものが混在しており、硬質基板５０に形成された電気回路には、これらの異なる電圧に対応する回路がそれぞれ設けられている。
各電気要素の作動電圧は、特に限定されないが、本実施形態では、一例として、５Ｖ系回路及び３Ｖ系回路の２系統の電気回路が設けられている場合を説明する。
【００１８】
そして、本実施形態のカメラ１には、５Ｖ系回路を電気的に保護する５Ｖ系ヒューズＦ１、及び、３Ｖ系回路を電気的に保護する３Ｖ系ヒューズＦ２が設けられている。以下、本明細書において、単にヒューズＦといった場合には、５Ｖ系ヒューズＦ１、及び、３Ｖ系ヒューズＦ２の両方に共通する事項を意味するものとする。
本実施形態のヒューズＦは、例えば、過電流を検出した場合に導通を遮断するチップ型の電流ヒューズであるが、ヒューズの種類は特に限定されず、例えば、温度ヒューズであってもよい。
【００１９】
ヒューズＦは、硬質基板５０の裏面部であって、電池室６０に対向して設けられている。５Ｖ系ヒューズＦ１、３Ｖ系ヒューズＦ２は、それぞれ硬質基板５０に形成されたランドＬ１、ランドＬ２を介して硬質基板５０に固定されている。５Ｖ系ヒューズ、及び、３Ｖ系ヒューズは、図２に示すように、垂直方向（カメラ１の上下方向）に隣接して配置されている。
【００２０】
ここで、図２に示すように、本実施形態のカメラ１の筐体１０の下面部には、開閉可能な蓋１１が設けられており、電池Ｂの交換やメモリカードＣの着脱を行う際には、この蓋１１を開閉させる必要がある。カメラ１は、この際に外部から導電性を有する異物が筐体１０内に侵入する可能性がある。また、カメラ１の内部に固定された、例えば、ビス等の導電部材や、半田等が脱落する可能性もある。
これらの異物は、電気回路に接触し、カメラ１の正常な動作を阻害する可能性がある。以下、具体的な例をあげて説明する。
【００２１】
図３は、図１に示すカメラの電気回路を概略的に示す図であり、（ａ）は、異物が侵入していない状態を示し、（ｂ）から（ｅ）までの各図は、（ａ）に示す電気回路に異物が侵入した状態を示している。
図３（ａ）に示すように、電気回路は、電源（ＢＡＴ）、５Ｖ系回路、３Ｖ系回路、５Ｖ系回路を保護するヒューズＦ１、３Ｖ系回路を保護するヒューズＦ２を備えている。
【００２２】
図３（ｂ）は、異物Ｘによって電源の正極と負極とが短絡した状態を示している。
また、図３（ｃ）、（ｄ）は、それぞれ異物Ｘによって５Ｖ系ヒューズＦ１、３Ｖ系ヒューズＦ２をバイパスする回路が形成された状態を示しており、ヒューズの機能が阻害される。
図３（ｅ）において、異物Ｘは、５Ｖ系ヒューズＦ１と５Ｖ回路との間に一端が、３Ｖ系ヒューズＦ２と３Ｖ回路との間に他端が接触している。５Ｖ系ヒューズＦ１、３Ｖ系ヒューズＦ２は、それぞれ５Ｖ回路に流れる電流と３Ｖ回路に流れる電流の両方を検出するので、同様にヒューズＦの機能が阻害される。
【００２３】
ヒューズＦは、過電流が流れた場合等に電気回路を保護する保護部品であるので、仮にカメラ１の内部に侵入した異物Ｘによって電気回路に短絡等が発生しても、ヒューズの機能さえ確保できていれば、大きなトラブルの発生を防止することができる。
そこで、本実施形態のカメラ１は、筐体１０の内部に導電性を有する異物が侵入した場合等であっても、ヒューズＦの機能を確保できるようにするために、ヒューズ収容部９０にヒューズＦを収容して、ヒューズＦを物理的に保護している。
【００２４】
ヒューズ収容部９０は、図２に示すように、５Ｖ系ヒューズＦ１及び３Ｖ系ヒューズＦ２のふたつのヒューズに対応して、５Ｖ系ヒューズ収容部９０ａ及び３Ｖ系ヒューズ収容部９０ｂが設けられている。本明細書において、単にヒューズ収容部９０といった場合には、５Ｖ系ヒューズ収容部９０ａ、及び、３Ｖ系ヒューズ収容部９０ｂの両方に共通する事項を意味するものとする。
前述のようにヒューズＦは、硬質基板５０において電池室６０に対向する部分に実装されている。５Ｖ系ヒューズ収容部９０ａ及び３Ｖ系ヒューズ収容部９０ｂは、それぞれ電池室６０における硬質基板５０に対向する部分に形成されている。
【００２５】
５Ｖ系ヒューズ収容部９０ａは、５Ｖ系ヒューズＦの一部を収容する凹部９１と、５Ｖ系ヒューズＦの他部及びランドＬを包囲して設けられた包囲部９２とを備えている。
凹部９１は、電池室６０における５Ｖ系ヒューズＦ１に対向する部分を凹ませたものであり、５Ｖ系ヒューズＦ１は、この凹部９１内にその一部が収容されている。
包囲部９２は、上述した凹部９１の縁部から硬質基板５０側に突き出して形成され、その先端部は、硬質基板５０に対して微少な隙間を有する状態で対向している。硬質基板５０に形成されたヒューズ接続用のランドＬは、この包囲部９２に囲まれている。包囲部９２は、電池室６０に一体に形成されている。
【００２６】
ここで、５Ｖ系ヒューズ収容部９０ａに備えられた凹部９１は、突出部６１ｂの反対側に設けられている。電池室６０は、突出部６１ｂの設けられた部分の厚さ方向寸法（Ｚ軸方向寸法）がその他の部分よりも大きいので、凹部９１を設けても肉厚が薄くならず、機械的な強度の低下を抑制できる。
３Ｖ系ヒューズ収容部９０ｂは、５Ｖ系ヒューズ収容部９０ａの下方に形成されており、その構成は、５Ｖ系ヒューズ収容部９０ａと略同じである。すなわち、３Ｖ系ヒューズ収容部９０ｂは、凹部９３及び包囲部９４によって形成される空間部内に３Ｖ系ヒューズＦ２を収容し、包囲部９４がランドＬ２を囲んでいる。ランドＬ１を包囲する包囲部９２と、ランドＬ２を包囲する包囲部９４は、一部が重複して（一体的に）形成されている。
【００２７】
以上説明した本実施形態のカメラ１によれば、以下の効果を得ることができる。
（１）ヒューズＦを収容するヒューズ収容部９０（９０ａ、９０ｂ）を設けたので、仮に導電性を有する異物がカメラ１の筐体１０内に侵入した場合や、カメラ１に固定された導電性を有する部材が脱落したとしても、これらがヒューズＦ及びヒューズＦが接続されたランドＬに接触することを防止できる。したがって、これらの異物や脱落部材によって、ヒューズＦをバイパスする回路（図３（ｃ）、（ｄ）参照）が形成されることがなく、ヒューズＦの電気回路保護機能が阻害されることがない。
（２）５Ｖ系ヒューズＦ１、３Ｖ系ヒューズＦ２のそれぞれを個別に収容する５Ｖ系ヒューズ収容部９０ａ、３Ｖ系ヒューズ収容部９０ｂを設けたので、図３（ｅ）に示すように、５Ｖ系回路と３Ｖ系回路とが異物や脱落物によって接続されることがない。したがって、ヒューズＦの電気回路保護機能が阻害されることがない。
（３）本実施形態のカメラ１は、硬質基板５０と電池室６０との間に形成された隙間であって、カードスロット７０を避けた領域にヒューズＦを配置したので、スペースの有効利用ができ、大型化を防止できる。また、ヒューズ収容部９０を電池室６０に一体に形成したので、部品点数が増加することもない。
（４）ヒューズＦの一部を収容する凹部９１、９３を、電池室６０の一部であって、電池室６０の他の部分よりも肉厚である突出部６１ｂに対応する部分を凹ませて形成したので、電池室６０の機械的な強度が低下しない。
（５）電池室６０を実質的な絶縁体によって形成したので、仮に包囲部９２、９４が基板５０に形成された導電パターン等に接触しても、電気回路に短絡が発生することがない。
【００２８】
［変形形態］
本発明は、以上説明した実施形態に限定されることなく、種々の変形や変更が可能であって、それらも本発明の技術的範囲内に含まれる。
（１）実施形態のヒューズ収容部は、電池室に設けられたが、ヒューズ収容部が形成される部材は、これに限られない。すなわち、ヒューズ収容部は、ヒューズが設けられた位置に応じて、適宜その他の部材に設けてことができ、例えば、ヒューズが硬質基板の面部のうち、カメラの筐体に対向する面部（表面部）にマウントされている場合には、カメラの筐体の一部であって、このヒューズに対向する部分にヒューズ収容部を設けてもよい。また、例えば、ヒューズがレンズ鏡筒の固定筒に対向する場合には、固定筒にヒューズ収容部を設けてもよい。
（２）実施形態の電池は、円筒型の電池であったが、電池の形状はこれに限らず、例えば、カード型でであっても。この場合、電池室は、電池の形状に対応した（突出部を備えない）形状になるが、このような電池室のヒューズに対向する部分にヒューズ収容部を設けてもよい。
（３）実施形態では電子機器の一例として、カメラを説明したが、本発明の電子機器は、これに限らず、例えば、フォトストレージや携帯電話等であってもよい。
【図面の簡単な説明】
【００２９】
【図１】実施形態のカメラの内部構造を示す断面図である。
【図２】図１に示すカメラのＡ２−Ａ２矢視断面図である。
【図３】一般的な電子機器に備えられた回路の一例を示す図である。
【符号の説明】
【００３０】
１  カメラ  ：  ５０  基板  ：  ６０  電池室  ：  ９０  ヒューズ収容部  ：  ９１、９３  凹部  ：  ９２、９４  包囲部  ：  Ｂ  電池  ：  Ｆ１、Ｆ２  ヒューズ  ：  Ｌ１、Ｌ２  ランド
【図１】
2009103809.tif 000003
【図２】
2009103809.tif 000004
【図３】
2009103809.tif 000005